(57)【要約】      （修正有）【課題】閉ループ構造でキー等を確実に保持でき、キー等を取り外すために閉ループ構造を容易には解除できない安全性の高い結束具を提供する。【解決手段】結束具１は、受容体２と、受容体に一端部が連結された可撓性の長体３と、長体の他端部に設けられた挿入体４を有し、キーのストラップの環状部に長体を通し、挿入体を受容体に挿入して解除不能に係合させて使用する。挿入体には、係合した受容体と挿入体の接触面２０を外部から隠すカバー部１５がある。係合した受容体と挿入体の接触面に外からドライバ等を差し入れようとしてもカバー部がそれを邪魔する。受容体と挿入体の係合状態を不正に解除することを確実に防止できる。【選択図】図３
2018203323.tif 000002
【特許請求の範囲】
【請求項１】
受容体と、前記受容体に一端部が連結された可撓性の長体と、前記長体の自由端である他端部に設けられた挿入体を有し、前記挿入体を前記受容体に挿入して解除不能に係合させる結束具において、
前記受容体と前記挿入体のいずれか一方に形成され、前記受容体と前記挿入体が係合した状態において前記受容体と前記挿入体が接する接触面を外部から視認できないように覆うカバー部を有することを特徴とする結束具。
【請求項２】
前記結束具は、前記受容体と前記挿入体が係合した状態において環状となり、
前記挿入体は、前記環状を含む面に交差する方向を前記受容体に対する挿入方向とする突出部を有し、
前記受容体は、挿入された前記突出部に係合する受け部を有し、
前記カバー部は、前記長体を撓ませることにより生じた前記接触面の隙間を外部から視認できなくする前記受容体と前記挿入体の少なくとも何れか一方の所定位置に形成されたことを特徴とする請求項１に記載の結束具。
【請求項３】
前記受容体と前記挿入体の一方に設けられた凸部と、
前記受容体と前記挿入体の他方に設けられ、前記凸部と嵌合する孔部と、
を有することを特徴とする請求項２に記載の結束具。
【発明の詳細な説明】
【技術分野】
【０００１】
本発明は、キーホルダーまたはキーリングのようにキー等を束ねて保持するために使用される結束具に係り、特にキー等を保持した状態で閉ループ状に閉じると、容易に開放してキー等を取り外すことができなくなる安全性の高い結束具に関するものである。
【背景技術】
【０００２】
下記特許文献１は、物品を保持するためのリングの発明を開示している。特許文献１の記載によれば、金属や硬質の樹脂から成る従来のリングはコスト高であったり、物品の着脱を行いにくいものがあり、物品とともに収納した際に邪魔になることがあるという不具合があり、特許文献１で提案されたリングの発明は、係る課題を解決するものとされている。
【０００３】
すなわち、特許文献１に記載されたリングは、柔軟性を有する樹脂製の線材から成り、少なくとも両端部が重合していると共に、重合部分に互いに係脱可能な突部１と嵌合部２を設けたリングＲ１としたものである。この構成によれば、低コストで製造することができると共に、物品の着脱も容易であり、物品とともに収納した際に邪魔になるような不具合は解消されるものとされている。
【先行技術文献】
【特許文献】
【０００４】
【特許文献１】特開２００４−２４２８８９号公報
【発明の概要】
【発明が解決しようとする課題】
【０００５】
キーホルダーまたはキーリングのようにキー等を束ねて保持するために使用される閉ループ構造の結束具においては、管理しているキーを安全に保管・保持する必要上、一旦、キー等を保持状態として閉ループ状に閉じると、容易に開放してキー等を取り外すことができなくなる構造であることが好ましい場合がある。このような安全性の高い構造であれば、例えば係る構造の結束具にキー等を保持させた状態で管理担当者に預けた場合、仮に管理担当者が何らかの理由でキー等を結束具から取り外そうとしても、構造上、結束具を解除することができず、結束具からキー等が外されてしまう恐れはない。ところが、前記特許文献１を始めとする従来の結束具の発明では、このような課題を効果的に解決するものが知られていなかった。
【０００６】
本発明は、以上説明した従来の技術における課題を解決することを目的としており、キー等の貴重物品等を閉ループ構造で保持できる結束具であって、閉ループ構造を保持できる確実な係止構造を備えており、キー等を取り外そうとしても、キーの閉ループ構造を容易には解除できない安全性の高い結束具を提供することを目的としている。
【課題を解決するための手段】
【０００７】
請求項１に記載された結束具は、
受容体と、前記受容体に一端部が連結された可撓性の長体と、前記長体の自由端である他端部に設けられた挿入体を有し、前記挿入体を前記受容体に挿入して解除不能に係合させる結束具において、
前記受容体と前記挿入体のいずれか一方に形成され、前記受容体と前記挿入体が係合した状態において前記受容体と前記挿入体が接する接触面を外部から視認できないように覆うカバー部を有することを特徴としている。
【０００８】
請求項２に記載された結束具は、請求項１に記載の結束具において、
前記結束具は、前記受容体と前記挿入体が係合した状態において環状となり、
前記挿入体は、前記環状を含む面に交差する方向を前記受容体に対する挿入方向とする突出部を有し、
前記受容体は、挿入された前記突出部に係合する受け部を有し、
前記カバー部は、前記長体を撓ませることにより生じた前記接触面の隙間を外部から視認できなくする前記受容体と前記挿入体の少なくとも何れか一方の所定位置に形成されたことを特徴としている。
【０００９】
請求項３に記載された結束具は、請求項２に記載の結束具において、
前記受容体と前記挿入体の一方に設けられた凸部と、
前記受容体と前記挿入体の他方に設けられ、前記凸部と嵌合する孔部と、
を有することを特徴としている。
【発明の効果】
【００１０】
請求項１に記載された結束具によれば、係合状態にある受容体と挿入体の接触面に、外部からドライバ等の工具を差し入れようとしても、カバー部がそれを邪魔するので、受容体と挿入体の係合状態を不正に解除することを確実に防止できる。
【００１１】
請求項２に記載された結束具によれば、長体を挿入方向に撓ませる等して挿入体と受容体とを離間させて接触面に空隙を設け、ここにドライバ等の工具を差し入れようとしても、カバー部が接触面の空隙を覆うため、係る行為を邪魔するので、係合状態を不正に解除することを確実に防止できる。
【００１２】
請求項３に記載された結束具によれば、受容体と挿入体を係合状態とした場合、受容体と挿入体が互いに固定される係合点が、受容体の受け部と挿入体の突出部が係合する部位と、凸部と孔部とが嵌合する部位の２点となる。このように、係合状態にある受容体と挿入体は２点で固定状態に保持されることになるので、長体を挿入方向に撓ませる等して挿入体と受容体の接触面に空隙を生じさせる操作を行いにくくすることができる。
【図面の簡単な説明】
【００１３】
【図１】開放した状態の第１実施形態の結束具を、挿入体が挿入される受容体の入口の側を手前側として示した斜視図である。
【図２】挿入体を受容体に係合して閉ループ状とした第１実施形態の結束具を、挿入体が挿入される受容体の入口の側を手前側として示した斜視図である。
【図３】図２のＡ−Ａ切断線における模式的な断面図である。
【図４】第２実施形態の結束具において、第１実施形態における図２のＡ−Ａ切断線と同等の位置における模式的な断面図である。
【発明を実施するための形態】
【００１４】
本発明の第１実施形態を図１〜図３を参照して説明する。
図１及び図２を参照して第１実施形態の結束具１の概要を説明する。
第１実施形態の結束具１は、通常のキーホルダーまたはキーリングのように、１または２以上のキー等の貴重物品等を保持するために使用される道具である。この結束具１は、特にキー等を保持させた状態で一旦閉ループ状に閉じると、その状態が強固に固定され、手作業であっても器具を使用した操作であっても、いずれの手法をもってしても容易には開放できず、保持しているキー等を簡単には取り外すことができない安全性の高い構造を有している。
【００１５】
図１及び図２に示すように、この結束具１は、略円筒状の受容体２と、受容体２の側周面に一端部が連結され、略円形に撓んだ可撓性の長体３と、長体３の自由端である他端部に設けられた挿入体４とを有している。これらの各部は、弾性を有する樹脂を材料として一体に構成されているが、各部を別部品とし、長体３等、弾性変形が必要な部品、部分のみを樹脂等の弾性材料で構成して組み立ててもよい。
【００１６】
詳細は後述するが、図１に示すように、長体３が開いた状態の結束具１において、キー等の頭に設けられたキーリング孔またはキーリング孔に挿通したストラップの環状部５に長体３を挿通し、図２に示すように挿入体４を受容体２に挿入して係合することで全体を閉ループの環状とし、図示しないキー等を結束具１に保持させた状態とすることができる。
【００１７】
図３を参照して、受容体２と挿入体４に設けられた係合構造の詳細を説明する。
挿入体４は、その先端側の下面に突出部６を有している。この突出部６は、環状の長体３を含む平面と交差する方向（図３において上下方向の下向き）を、前記受容体２に対する挿入方向としている。この突出部６の下端には、先端側に向けられた第１係止突起７が設けられている。また、挿入体４は、後端側の下面に凸部８を有している。凸部８の前記受容体２に対する挿入方向は突出部６と同じである。この凸部８の下端には、突出部６の第１係止突起７とは逆向きに突出した第２係止突起９が設けられている。
【００１８】
図３に示すように、受容体２は、挿入体４の突出部６に係合する受け部１０を有している。この受け部１０は、突出部６が挿入される挿入孔１１と、挿入孔１１の長体３側の内面に形成され、挿入体４の突出部６の第１係止突起７とは逆方向に向けられた第１係止部１２を有している。また、受容体２は、長体３側とは反対側に孔部１３を有している。孔部１３の内面には、挿入体４の凸部８の第２係止突起９とは逆方向に向けられた第２係止部１４が設けられている。
【００１９】
図３に示すように、挿入体４の長体３側の端面には、長体３との接続位置よりもさらに受容体２側に向けて延設されたカバー部１５が設けられている。このカバー部１５は、受容体２と挿入体４が係合した状態において、受容体２と挿入体４が接する接触面２０（図３において破線で囲んで示す）を外部から視認できないように覆うことができる。なお、接触面２０は、図１に示されるように、受容体２の略円筒形状を、挿入体４の形状に合わせて一部切り欠いたような形状からなる凹面と、受容体２と挿入体４が係合した状態においてこの凹面に挿入体４が接する凸面とからなる。受容体２の凹面は、挿入体４を係合する際に案内する案内部として機能し、挿入体４側の凸面はこの案内部に案内される被案内部として機能する。
【００２０】
第１実施形態の結束具１にキーを保持する手順を説明する。
まず、図１に示すように、キーのリング孔に挿通したストラップの環状部５に対し、挿入体４及び長体３を挿通する。図１に示すように、挿入体４が受容体２に係合しておらず、長体３がまだ開放されている状態では、長体３は円形よりもやや拡大した形状をしており、挿入体４と受容体２の間には十分な隙間がある。このため、ストラップの環状部５を長体３に挿通する操作は容易に行える。
【００２１】
次に、図２に示すように、長体３を円形に近い形状となるよう縮小させる方向に撓ませながら、長体３の先端にある挿入体４を受容体２の嵌合構造に挿入し、全体を閉ループの環状とする。これによって、閉じたリング状の結束具１に図示しないキーを保持させた状態とすることができる。
【００２２】
そして、このように挿入体４と受容体２が係合した状態では、受容体２と挿入体４は２つの箇所において互いに固定されることとなる。
第１の箇所は、受容体２の受け部１０と挿入体４の突出部６が係合する部位である。ここでは、挿入体４の突出部６が、受容体２の受け部１０の挿入孔１１に挿入され、突出部６の第１係止突起７が、受け部１０の挿入孔１１の第１係止部１２を乗り越え、両者は互いに係合している。
【００２３】
第２の箇所は、受容体２の孔部１３と挿入体４の凸部８が係合する部位である。ここでは、挿入体４の凸部８が、受容体２の孔部１３に挿入され、凸部８の第２係止突起９が、受け部１０の孔部１３の第２係止部１４を乗り越え、両者は互いに係合している。
【００２４】
このように、係合状態にある受容体２と挿入体４は、２箇所もの位置で、互いに噛み合う突起構造によって互いに引き抜き不可能な状態で係合し、固定状態に確実に保持されている。そして、これら２箇所における突起構造の係合構造を見ると、図３から分かるように、第１係止突起７の突出方向と、第２係止突起９の突出方向は互いに逆である。このため、係合を解除しようとして挿入体３に外力を加えたとしても、第１係止突起７と第２係止突起９に対する解除作用は同一の方向には働かず、一方が解除の方向に移動すれば、他方は係止がより強まる方向に移動するため、係合の解除は困難である。従って、環状となった結束具１からキーを取り外すため、受容体２から挿入体４を外そうとする試みは無益である。長体３に外力を与えて種々の方向に撓ませる等してみても、挿入体４を受容体２から外すことはできない。リング状となった長体３から環状部５を外すためには、挿入体４と受容体２の係合構造を破壊するか、又は長体３を切断する必要がある。
【００２５】
特に、図２に示したように、結束具１の長体３は、係止前の開放された状態では、係合時の円形よりもやや拡大した形状をしているが、これをより小さい円形となるよう撓ませた状態で、挿入体４を受容体２の嵌合構造に係合することにより、閉ループ状となっている。従って、係合後の円形の長体３には、元のより大きい円形に弾性的に戻ろうとする力が働いている。このため、受容体２と挿入体４が係合している２箇所の位置にもこの力が常に作用しているため、前述したように２カ所で係合していることに加え、この作用によっても、これらの係合状態は一層外れにくくなっている。
【００２６】
また、第１実施形態の結束具１によれば、図３中に破線の矢印で囲んで示した受容体２と挿入体４の接触面２０は、挿入体４に設けられたカバー部１５によって外部から視認できないように保護されている。従って、この接触面２０、または長体３を挿入方向に撓ませる等して挿入体４と受容体２を離間させて設けた接触面２０の空隙に、外部からドライバ等の工具を差し入れて挿入体４を受容体２から外そうとしても、カバー部１５が係る操作の邪魔をするので、受容体２と挿入体４の係合状態を不正に解除することは確実に防止できる。
【００２７】
なお、以上説明した第１実施形態では、受容体２と挿入体４の係合構造における凹凸またはおす・めすの関係は逆にしてもよい。例えば、第１実施形態では、受け部１０を有する側を受容体２と称し、この受容体２に第２の係合構造として孔部１３を設け、また突出部６を有する側を挿入体４と称し、この挿入体４に第２の係合構造として凸部８を設けたが、受容体２の孔部１３を凸部とし、挿入体４の凸部８を孔部としてもよい。
【００２８】
本発明の第２実施形態を図４を参照して説明する。
第１実施形態では、受容体２と挿入体４の接触面２０を隠すカバー部１５は、挿入体４の長体３側の端面に設けられていた。これとは異なり、図４に示すように、第２実施形態の結束具１’においては、カバー部２５は、受容体２の長体３の連結部分とは反対側の端面を挿入体４の長体３に向けて延設することにより設けている。
【００２９】
このような構造によっても、図４中に破線の矢印で囲んで示した受容体２と挿入体４の接触面２０は、受容体２に設けたカバー部１５によって外部から視認できないように保護することができる。そして、第１実施形態と同様に、この接触面２０’、または挿入体４と受容体２を離間させて設けた接触面２０’の空隙に、外部からドライバ等の工具を差し入れて挿入体４を受容体２から外し、受容体２と挿入体４の係合状態を不正に解除することは確実に防止できる。
【００３０】
第２実施形態におけるその他の構造は第１実施形態と実質的に同一である。第２実施形態を示す図４中には、第１実施形態の図３と対応する部分に同一の符号を付し、当該同一部分に関する第２実施形態の説明には第１実施形態の対応部分の説明を援用するものとする。
【００３１】
以上説明した各実施形態の結束具１，１’は、キーホルダーまたはキーリングのようにキー等を束ねて保持するために使用されるものとして説明したが、もちろん結束具１，１’で保持する対象はキーに限定されるものではなく、長体３を挿通して保持することができる物品なら対象となりうることは当然である。
【符号の説明】
【００３２】
１，１’…結束具
２…受容体
３…長体
４…挿入体
５…キーに付けられたストラップの環状部
６…挿入体の突出部
８…挿入体の凸部
１０…受容体の受け部
１３…受容体の孔部
１５，２５…カバー部
２０，２０’…接触面
【図１】
2018203323.tif 000003
【図２】
2018203323.tif 000004
【図３】
2018203323.tif 000005
【図４】
2018203323.tif 000006